(57)【特許請求の範囲】
【請求項１】
プロテクション区間内の通信障害をＡＴＭレイヤでプロテクションするＡＴＭ通信システムのノード装置において、
プロテクション区間についての現用系及び予備系のコネクション情報を相互に保持するコネクション情報保持部と、
プロテクション区間のエンドポイントにおける通信障害の検出により該障害コネクション配下の全ＶＣ又は全ＶＰにつき夫々に所定の装置内セルを生成してこれらを現用系のコネクション情報に従い下流に出力する第１の回線対応部と、
出側の装置内セルを捕捉して該セルを予備系のコネクション情報に従い装置内に折り返す１又は２以上の第２の回線対応部と、
前記折り返された各装置内セルを収集してこれらを収容する予備系のＶＰ毎又はグループＶＰ毎に障害コネクションを特定したＶＰ毎又はグループＶＰ毎のコネクション切替要求セルを生成し、該セルを対向ノードに送出する１又は２以上の第３の回線対応部とを備えることを特徴とするノード装置。
【請求項２】
プロテクション区間内の通信障害をＡＴＭレイヤでプロテクションするＡＴＭ通信システムのノード装置において、
プロテクション区間についての現用系及び予備系のコネクション情報を相互に保持するコネクション情報保持部と、
障害検出ノードよりＶＰ毎又はグループＶＰ毎に障害コネクションを特定したＶＰ毎又はグループＶＰ毎のコネクション切替要求セルを受信したことにより対応する障害コネクションの全ＶＣ又は全ＶＰにつき夫々に所定の装置内セルを生成してこれらを予備系のコネクション情報に従い上流に出力する１又は２以上の第１の回線対応部と、
出側の前記装置内セルを捕捉して自己の対応する障害コネクションを現用系から予備系に切り替えると共に、前記捕捉セルを予備系のコネクション情報に従い装置内に折り返す１又は２以上の第２の回線対応部とを備えることを特徴とするノード装置。
【請求項３】
プロテクション区間内の通信障害をＡＴＭレイヤでプロテクションするＡＴＭ通信システムのノード装置において、
プロテクション区間についての現用系及び予備系のコネクション情報を相互に保持するコネクション情報保持部と、
プロテクション区間のエンドポイントにおける通信障害の検出により該障害コネクション配下の全ＶＣ又は全ＶＰにつき夫々に所定のコネクション切替要求セルを生成してこれらを現用系のコネクション情報に従い下流に出力する第１の回線対応部と、
出側のコネクション切替要求セルを捕捉して該セルを予備系のコネクション情報に従い装置内に折り返す１又は２以上の第２の回線対応部と、
前記折り返されたコネクション切替要求セルを対向ノードに送信する１又は２以上の第３の回線対応部とを備えることを特徴とするノード装置。
【請求項４】
プロテクション区間内の通信障害をＡＴＭレイヤでプロテクションするＡＴＭ通信システムのノード装置において、
プロテクション区間についての現用系及び予備系のコネクション情報を相互に保持するコネクション情報保持部と、
障害検出ノードよりその障害コネクション配下の全ＶＣ又は全ＶＰにつき夫々に送信されたコネクション切替要求セルを受信したことによりこれらを予備系のコネクション情報に従い上流に出力する１又は２以上の第１の回線対応部と、
出側のコネクション切替要求セルを捕捉して自己の対応するコネクション情報を現用系から予備系に切り替えると共に、前記捕捉セルを予備系のコネクション情報に従い装置内に折り返す１又は２以上の第２の回線対応部とを備えることを特徴とするノード装置。
【請求項５】
第２，第３の回線対応部は、対向ノードからのコネクション切替応答セルを受信した後に各対応する障害コネクションを現用系から予備系に切り替えることを特徴とする請求項１又は３に記載のノード装置。
【請求項６】
第２，第３の回線対応部は、対向ノードからのコネクション切替応答セルを待たずに各対応する障害コネクションを現用系から予備系に切り替えることを特徴とする請求項１又は３に記載のノード装置。
【請求項７】
第１の回線対応部は、障害検出ノードからのコネクション切替要求セルの受信時又は自ノード内における１又は２以上の折り返しセルの収集時に自己のコネクションを現用系から予備系に切り替えることを特徴とする請求項２又は４に記載のノード装置。
【請求項８】
第１の回線対応部は、自ノード内における１又は２以上の折り返しセルの収集後に、コネクション切替応答セルを障害検出ノードに送出することを特徴とする請求項２又は４に記載のノード装置。
【請求項９】
プロテクションの区間外で発生した区間外警報転送セルと区間内で発生した区間内警報転送セルとを識別する警報セル識別部と、
前記警報セル識別部の識別結果に基づき、上流より区間外警報転送セルが入力している間は該区間外警報転送セルを下流に転送し、また区間外警報転送セルが入力せず、かつ区間内警報転送セルが発生しているときは該区間内警報転送セルを区間外警報転送セルに変換して下流に転送する警報セル転送制御部とを備えることを特徴とする請求項１又は３に記載のノード装置。
【発明の詳細な説明】
【０００１】
【発明の属する技術分野】
本発明はＡＴＭ通信システムのノード装置に関し、更に詳しくはプロテクション区間内の通信障害をＡＴＭ（ＶＰ／ＶＣ）レイヤでプロテクションするＡＴＭ通信システムのノード装置に関する。
近年、高信頼性のＡＴＭ網を低ネットワークコストで実現することが要求されている。このため伝送路の現用系と予備系からなる冗長構成を低ネットワークコストで実現することが求められる。
【０００２】
【従来の技術】
この点、ＡＴＭ網では、従来の物理レイヤで伝送路を２重化（通信回線を２系統用意）するのと異なり、ＶＰ／ＶＣの論理的コネクションを単位に伝送路を２重化できるので、例えば高信頼性を要求されるコネクションに関してのみ選択的に２重化する等、ネットワークコストを低減出来る。またコネクションを１又は２以上のＶＰ／ＶＣ単位に変更できるため柔軟なネットワークプロテクションを行える。
【０００３】
【発明が解決しようとする課題】
しかし、従来、ＡＴＭレイヤプロテクションに関しては、ＩＴＵ−Ｔ等の標準化団体で議論さているが、警報転送セルや切替制御セルの具体的な処理シーケンスについては明記されていない。特にＶＣレベルのハンドリングを行うＶＣスイッチに関しては、ＶＰレイヤの障害時に、該ＶＰに収容される全ＶＣを張り替える必要が生じるため、ＶＰレイヤの障害情報及び切替指示／切替応答の全ＶＣへの分配／収集を高速かつ確実に行うことが求められる。
【０００４】
本発明の目的は、簡単な構成及び制御で高信頼性のＡＴＭレイヤプロテクションを能率良く行えるＡＴＭ通信システムのノード装置を提供することにある。
【００１４】
【課題を解決するための手段】
上記の課題は例えば図７の構成により解決される。即ち、本発明（１）のノード装置１０Ｂは、プロテクション区間内の通信障害をＡＴＭレイヤでプロテクションするＡＴＭ通信システムのノード装置において、プロテクション区間についての現用系及び予備系のコネクション情報を相互に保持するコネクション情報保持部１３と、プロテクション区間のエンドポイントにおける通信障害の検出により該障害コネクション配下の全ＶＣ又は全ＶＰにつき夫々に所定の装置内セルを生成してこれらを現用系のコネクション情報に従い下流に出力する第１の回線対応部３Ｂと、出側の装置内セルを捕捉して該セルを予備系のコネクション情報に従い装置内に折り返す１又は２以上の第２の回線対応部５Ａ，６Ａ等と、前記折り返された各装置内セルを収集してこれらを収容する予備系のＶＰ毎又はグループＶＰ毎に障害コネクションを特定したＶＰ毎又はグループＶＰ毎のコネクション切替要求セルを生成し、該セルを対向ノードに送出する１又は２以上の第３の回線対応部４Ｂ等とを備えるものである。
【００１５】
一例の動作を具体的に説明する。第１の回線対応部３Ｂは障害コネクション（ＶＰ３）配下の全ＶＣ（ＶＣ１，ＶＣ３）につき装置内セル（ＶＰ３／ＶＣ１，ＶＰ３／ＶＣ３）を生成し、これらを現用系のコネクション（ルーティングタグ）情報に従い下流の第２の回線対応部５Ａ，６Ａに導く。
第２の回線対応部５Ａは出側の装置内セル（ＶＰ３／ＶＣ１）を捕捉して該セルを予備系のコネクション（ルーティングタグ）情報に従い装置内に折り返す。また第２の回線対応部６Ａは出側の装置内セル（ＶＰ３／ＶＣ３）を捕捉して該セルを予備系のコネクション情報に従い装置内に折り返す。
【００１６】
第３の回線対応部４Ｂは前記折り返され、自己に転送された装置内セル（ＶＰ３／ＶＣ１）を収集してこれを収容する予備系のＶＰ毎に（この場合は予備系のＶＰ４につき）障害コネクションを特定したＶＰ毎のコネクション切替要求セル（ＶＰ３／ＶＣ１）を生成し、該セルを対向ノード１０Ａに送出する。また第３の回線対応部４Ｂ´（不図示）は前記折り返され、自己に転送された装置内セル（ＶＰ３／ＶＣ３）を収集してこれを収容する予備系のＶＰ毎に（この場合は予備系のＶＰ４´につき）障害コネクションを特定したＶＰ毎のコネクション切替要求セル（ＶＰ３／ＶＣ３）を生成し、該セルを対向ノード１０Ａに送出する。
【００１７】
従って、複雑な予備系ルートの検索を行わなくても、あるプロテクションラインで障害が検出された際に必要となるようなプロテクションの諸機能を上記第１〜第３の回線対応部に効率よく分離し、配置した簡単な構成及び装置内セルのフロー制御により、障害ＶＰ３配下の障害ＶＣ１，ＶＣ３を予備系のＶＰ４，ＶＰ４´に能率良く関係付けることができる。また、各装置内セルを収集して対応するＶＰ毎又はグループＶＰ毎のコネクション切替要求セルを送信するので、プロテクションリンクの帯域を圧迫しない。全障害ＶＰを１又は２以上の予備系のグループＶＰに関係付ける場合も同様に考えられる。
【００１８】
本発明（２）のノード装置１０Ａは、例えば図６に示す如く、プロテクション区間内の通信障害をＡＴＭレイヤでプロテクションするＡＴＭ通信システムのノード装置において、プロテクション区間についての現用系及び予備系のコネクション情報を相互に保持するコネクション情報保持部１３と、障害検出ノード１０ＢよりＶＰ毎又はグループＶＰ毎に障害コネクションを特定したＶＰ毎又はグループＶＰ毎のコネクション切替要求セルを受
信したことにより対応する障害コネクションの全ＶＣ又は全ＶＰにつき夫々に所定の装置内セルを生成してこれらを予備系のコネクション（ルーティングタグ）情報に従い上流に出力する１又は２以上の第１の回線対応部４Ａ等と、出側の前記装置内セルを捕捉して自己の対応する障害コネクションを現用系から予備系に切り替えると共に、前記捕捉セルを予備系のコネクション（ルーティングタグ）情報に従い装置内に折り返す１又は２以上の第２の回線対応部１Ｂ，２Ｂ等とを備えるものである。
【００１９】
ここで、ノード装置１０Ａの内部における装置内セルのフロー制御は上記ノード装置１０Ｂにつき述べたものと同様に考えられる。従って、複雑な予備系ルートの検索を行わなくても、簡単な構成及び装置内セルのフロー制御により、障害ＶＰ３配下の障害ＶＣ１，ＶＣ３を能率良く予備系のＶＰ４，ＶＰ４´に切り替えられる。
【００２０】
本発明（３）のノード装置１０Ｂは、例えば図９に示す如く、プロテクション区間内の通信障害をＡＴＭレイヤでプロテクションするＡＴＭ通信システムのノード装置において、プロテクション区間についての現用系及び予備系のコネクション情報を相互に保持するコネクション情報保持部１３と、プロテクション区間のエンドポイントにおける通信障害の検出により該障害コネクション配下の全ＶＣ又は全ＶＰにつき夫々に所定のコネクション切替要求セルを生成してこれらを現用系のコネクション情報に従い下流に出力する第１の回線対応部３Ｂと、出側のコネクション切替要求セルを捕捉して該セルを予備系のコネクション情報に従い装置内に折り返す１又は２以上の第２の回線対応部５Ａ，６Ａ等と、前記折り返されたコネクション切替要求セルを対向ノードに送信する１又は２以上の第３の回線対応部４Ｂ等とを備えるものである。
【００２１】
本発明（３）によれば、第１の回線対応部３Ｂは障害コネクション配下の全ＶＣ又は全ＶＰにつき夫々に所定のコネクション切替要求セルを生成すると共に、これらを自ノード１０Ｂ内で折り返し、かつそのまま対向ノード１０Ａに送出する方法により、第３の回線対応部４Ｂ等からコネクション切替要求セルを収集し編集する機能部を削除でき、装置構成が簡単になる。
【００２２】
本発明（４）のノード装置１０Ａは、例えば図８に示す如く、プロテクション区間内の通信障害をＡＴＭレイヤでプロテクションするＡＴＭ通信システムのノード装置において、プロテクション区間についての現用系及び予備系のコネクション情報を相互に保持するコネクション情報保持部１３と、障害検出ノード１０Ｂよりその障害コネクション配下の全ＶＣ又は全ＶＰにつき夫々に送信されたコネクション切替要求セルを受信したことによりこれらを予備系のコネクション情報に従い上流に出力する１又は２以上の第１の回線対応部４Ａ等と、出側のコネクション切替要求セルを捕捉して自己の対応するコネクション情報を現用系から予備系に切り替えると共に、前記捕捉セルを予備系のコネクション情報に従い装置内に折り返す１又は２以上の第２の回線対応部１Ｂ，２Ｂ等とを備えるものである。
【００２３】
本発明（４）によれば、障害検出ノード１０Ｂより受信した各コネクション切替要求セルを、そのまま自ノード１０Ａ内で折り返し、その都度各回線対応部の対応する障害コネクション情報を現用系から予備系に切り替える方法により、装置構成が簡単になる。
好ましくは本発明（５）においては、上記本発明（１）又は（３）において、第２，第３の回線対応部５Ａ，６Ａ等は、対向ノード１０Ａからのコネクション切替応答セルを受信した後に各対応する障害コネクションを現用系から予備系に切り替える。従って、上流における切替の確認と、上流優先の切替制御を行える。
【００２４】
好ましくは本発明（６）においては、上記本発明（１）又は（３）において、第２，第３の回線対応部５Ａ、６Ａ等は、対向ノード１０Ａからのコネクション切替応答セルを待たずに各対応する障害コネクションを現用系から予備系に切り替える。従って、障害検出ノード１０Ｂ、対向ノード１０Ａの双方における予備系への切替えを迅速に行える。
【００２５】
好ましくは本発明（７）においては、上記本発明（２）又は（４）において、第１の回線対応部４Ａ等は、障害検出ノード１０Ｂからのコネクション切替要求セルの受信時又は自ノード１０Ａ内における１又は２以上の折り返しセルの収集時に自己のコネクションを現用系から予備系に切り替える。
好ましくは本発明（８）においては、上記本発明（２）又は（４）において、第１の回線対応部４Ａ等は、自ノード１０Ａ内における１又は２以上の折り返しセルの収集後に、コネクション切替応答セルを障害検出ノード１０Ｂに送出する。従って、障害検出ノード１０Ｂは対向ノード１０Ａがコネクション切替要求セルを受け取ったことを確認できる。
【００２６】
好ましくは本発明（９）においては、上記本発明（１）又は（３）において、プロテクションの区間外で発生した区間外警報転送セルと区間内で発生した区間内警報転送セルとを識別する警報セル識別部と、前記警報セル識別部の識別結果に基づき、上流より区間外警報転送セルが入力している間は該区間外警報転送セルを下流に転送し、また区間外警報転送セルが入力せず、かつ区間内警報転送セルが発生しているときは該区間内警報転送セルを区間外警報転送セルに変換して下流に転送する警報セル転送制御部とを備えるものである。従って、下流に区間外警報転送セルを重複して転送する無駄を排除できると共に、下流における区間外警報転送セルの処理が容易となる。
【００２７】
【発明の実施の形態】
以下、添付図面に従って本発明に好適なる複数の実施の形態を詳細に説明する。なお、全図を通して同一符号は同一又は相当部分を示すものとする。
図２，図３は第１の実施の形態によるＡＴＭレイヤプロテクション方式を説明する図（１），（２）であり、コネクション情報の切替制御機能が各回線対応部に分散配置されている場合を示している。
【００２８】
図２はＶＰプロテクション区間の概略構成を示しており、図において、１０はユーザセルの交換を行うと共にＶＰプロテクション区間のプロテクション制御を行う切替ノード（ＡＴＭ交換機，クロスコネクト装置等）、１１は回線対応部、２１はＡＴＭスイッチ（ＡＳＷ）、２２はユーザセル（パーマネント呼，オンデマンド呼等）の呼制御を行う呼制御部、４０は中継ノード、ＰＬはノード間を接続する光ファイバ等の物理リンクである。
【００２９】
切替ノード１０Ａと１０Ｂとの間の区間をＶＰプロテクション区間と定義し、現用系ＶＰと予備系ＶＰとの切替をこの区間で行う場合を説明する。この場合に、物理リンクＰＬ３，４等は共に現用系ＶＰで使用されているが、これらの通信容量に余裕を持たせることで、ＰＬ３，４の各現用系ＶＰに対する各予備系ＶＰを夫々ＰＬ４，３に設けることが可能である。そして、通信障害検出の通知、コネクションの切替要求及び切替応答等の通信は通常のユーザセルとは異なるＯＡＭセルを用いて行う。
【００３０】
図１１に一般に使用されている警報用ＯＡＭセル（ＶＰ−ＡＩＳセル）のフォーマットを示す。警報用ＯＡＭセルはユーザセルと同様に５バイトのヘッダと４８バイトの情報領域（ペイロード）とから成り、「ＶＰＩ」は障害ＶＰと同一のＶＰＩ、「ＶＣＩ」はＶＰ用ＯＡＭセルを表す特定値、「ＯＡＭ  ｔｙｐｅ  」はＶＰ−ＡＩＳセル又はＶＰ−ＦＥＲＦセル（警報セル）を表す特定値、「Ｄｅｆｅｃｔ  ｔｙｐｅ  」は故障種別、「Ｄｅｆｅｃｔ  Ｌｏｃａｔｉｏｎ  」は故障箇所、「ＣＲＣ」はペイロード誤り検出符号を夫々保持する。
【００３１】
本第１の実施の形態では、上記一般（区間外）の警報用ＯＡＭセルと区別するために、プロテクション区間内で発生した障害を通知するためのＯＡＭセルをＶＰトリガセル、また区間内でコネクション切替用制御情報を通信するためのＯＡＭセルをＶＰ切替要求セル及びＶＰ切替応答セルと呼ぶ。
図２に戻り、第１の実施の形態によるＶＰプロテクション制御の大まかな流れを説明する。切替ノード１０Ａ，１０Ｂは通常は現用系ＶＰ上にユーザセルを流している。この状態で、もし切替ノード１０Ａから中継ノード４０ａへの下りリンクで通信障害が発生した場合は、中継ノード４０ａが障害を検出し、ＶＰトリガセルを生成して切替ノード１０Ｂに送出する。また中継ノード４０ａから切替ノード１０Ｂへの下りリンクで通信障害が発生した場合は、切替ノード１０Ｂが障害を検出し、内部でＶＰトリガセルを生成する。
【００３２】
上記いずれの場合も、障害を検出した切替ノード１０Ｂは対向の切替ノード１０Ａに対して障害ＶＰを特定したＶＰ切替要求セルを送出する。この場合に、好ましくはＶＰ切替要求セルを障害ＶＰに対応する予備系のＶＰ（リンク）に送出することで予備系の導通試験を行える。これを受けた切替ノード１０Ａは、後述するヘッダ変換テーブル内の障害ＶＰに対応するコネクション情報を現用系か予備系に切り替え、その後、切替ノード１０ＢにＶＰ切替応答セルを返送する。この場合も、好ましくはＶＰ切替応答セルを障害ＶＰに対応する予備系のＶＰ（リンク）に送出することで予備系の導通試験を行える。切替ノード１０Ｂは、切替ノード１０ＡからのＶＰ切替応答セルを受信したことにより切替ノード１０Ａで正常にＶＰ切替制御が行われたことを確認し、自ノードのヘッダ変換テーブル内の障害ＶＰに対応するコネクション情報を現用系から予備系に切り替える。
【００３３】
なお、ＶＰ切替応答セルの受信タイムアウトや、ＶＰ切替応答セル内の情報要素等により切替ノード１０ＡにおけるＶＰ切替制御が失敗したと判断される場合には、切替ノード１０Ｂは再度ＶＰ切替要求セルを送信するか、又はコネクション切替を中断する。
図３は第１の実施の形態における切替ノードの詳細構成を示しており、図において、１０は切替ノード、１１は回線対応部、１２はヘッダ変換部（ＨＣＶ）、１３はヘッダ変換テーブル、１４は伝送路障害の障害検出部（ＥＤＴ）、１５はＯＡＭセル生成部（ＳＣＧ）、１６はＯＡＭセル受信部（ＳＣＲ）、２１はＡＴＭスイッチ（ＡＳＷ）、２２は呼制御部である。
【００３４】
なお、図は紙面の関係でＶＰＩ＝１をＶＰ１、ＶＣＩ＝１をＶＣ１と簡略化して表している。説明もこれに従う。またこのシステムでは、ＶＰＩについてはノード毎に書き替える（付け替える）が、ＶＣＩについては、説明が複雑になるので、ノード毎には書き替えない場合を示す。勿論、ＶＣＩをノード毎に書き替えても良い。またＡＳＷ２１の出方路を決めるルーティングタグ情報Ｒについては、ここではこれを出側のＶＰＩ値と等しいものとして扱い、図示していない。
【００３５】
図において、物理リンクＰＬ１，ＰＬ２に対応して回線対応部１Ｂ，２Ｂが、物理リンクＰＬ３，ＰＬ４に対応して回線対応部３Ａ，４Ａ及び３Ｂ，４Ｂが、そして物理リンクＰＬ５，ＰＬ６に対応して回線対応部５Ａ，６Ａが夫々設けられている。各回線対応部は上り下りの各パスで検出された障害に対処できるように共通の構成を備えている。
【００３６】
呼制御部２２Ａ，２２Ｂはパーマネント呼の接続時又はオンデマンド呼の発／着信の際に夫々現用系のコネクション情報を生成し、これを自ノードのヘッダ変換テーブル１３に保持する。一例の現用系のコネクション情報は図示の通りである。ヘッダ変換部１２は、入力セルのヘッダ情報でヘッダ変換テーブル１３の入側を参照し、対応する出側のヘッダ情報で入力セルのヘッダ情報を書き替え、書替後のセルをＡＳＷ２１により対応する出方路に導く。
【００３７】
現用系によるセル交換の動作を具体的に言うと、物理リンクＰＬ１はＶＰ１を収容しており、ここにＶＣ１，２が多重されている。回線対応部１Ｂは、入力セルのＶＰ１／ＶＣ１をＶＰ３／ＶＣ１に書き替えてこれを出方路（Ｒ＝３）の回線対応部３Ａに導き、また入力セルのＶＰ１／ＶＣ２をＶＰ４／ＶＣ２に書き替えてこれを出方路（Ｒ＝４）の回線対応部４Ａに導く。一方、物理リンクＰＬ２はＶＰ２を収容しており、ここにＶＣ３，４が多重されている。回線対応部２Ｂは、入力セルのＶＰ２／ＶＣ３をＶＰ３／ＶＣ３に書き替えてこれを出方路（Ｒ＝３）の回線対応部３Ａに導き、また入力セルのＶＰ２／ＶＣ４をＶＰ４／ＶＣ２に書き替えてこれを出方路（Ｒ＝４）の回線対応部４Ａに導く。
【００３８】
その結果、物理リンクＰＬ３のＶＰ３にはＶＣ１，３が多重されている。回線対応部３Ｂは、入力セルのＶＰ３／ＶＣ１をＶＰ５／ＶＣ１に書き替えてこれを回線対応部５Ａに導き、また入力セルのＶＰ３／ＶＣ３をＶＰ６／ＶＣ３に書き替えてこれを回線対応部６Ａに導く。一方、物理リンクＰＬ４のＶＰ４にはＶＣ２，４が多重されている。回線対応部４Ｂは、入力セルのＶＰ４／ＶＣ２をＶＰ５／ＶＣ２に書き替えてこれを回線対応部５Ａに導き、また入力セルのＶＰ４／ＶＣ４をＶＰ６／ＶＣ４に書き替えてこれを回線対応部６Ａに導く。その結果、物理リンクＰＬ５のＶＰ５にはＶＣ１，２が多重され、また物理リンクＰＬ６のＶＰ６にはＶＣ３，４が多重されている。
【００３９】
上記を下り方向のパスとすると、上り方向のパスは通常は上記とは逆に（対で）形成される。即ち、回線対応部５Ａは、入力セルのＶＰ５／ＶＣ１をＶＰ３／ＶＣ１に書き替えてこれを回線対応部３Ｂに導き、また入力セルのＶＰ５／ＶＣ２をＶＰ４／ＶＣ２に書き替えてこれを回線対応部４Ｂに導く。また回線対応部６Ａは、入力セルのＶＰ６／ＶＣ３をＶＰ３／ＶＣ３に書き替えてこれを回線対応部３Ｂに導き、また入力セルのＶＰ６／ＶＣ４をＶＰ４／ＶＣ４に書き替えてこれを回線対応部４Ｂに導く。一方、回線対応部３Ａは、入力セルのＶＰ３／ＶＣ１をＶＰ１／ＶＣ１に書き替えてこれを回線対応部１Ｂに導き、また入力セルのＶＰ３／ＶＣ３をＶＰ２／ＶＣ３に書き替えてこれを回線対応部２Ｂに導く。また回線対応部４Ａは、入力セルのＶＰ４／ＶＣ２をＶＰ１／ＶＣ２に書き替えてこれを回線対応部１Ｂに導き、また入力セルのＶＰ４／ＶＣ４をＶＰ２／ＶＣ４に書き替えてこれを回線対応部２Ｂに導く。
【００４０】
更に、このシステムでは物理リンクＰＬ３（ＶＰ３）の障害時の予備系は物理リンクＰＬ４（ＶＰ４）に設けられ、逆に物理リンクＰＬ４（ＶＰ４）の障害時の予備系は物理リンクＰＬ３（ＶＰ３）に設けられている。呼制御部２２Ａ，２２Ｂは予め上記現用のコネクション情報に対応する予備系のコネクション情報を生成し、これらをヘッダ変換テーブル１３に格納する。但し、図３は主に物理リンクＰＬ３（ＶＰ３）で障害が発生した場合の予備系のコネクション情報を示している。
【００４１】
以下、伝送路障害のＶＰレイヤによるプロテクション動作を具体的に説明する。回線対応部３Ｂにおいて、中継ノード４０ａからのＶＰトリガセルが障害検出部１４で検出され、又は障害検出部１４が伝送路障害を検出すると、その旨がＯＡＭセル生成部１５に通知され、ＯＡＭセル生成部１５はＶＰ３が障害であることを特定したＶＰ切替要求セルを送出する。ヘッダ変換部１２は、ＶＰ切替要求セルが入力すると、予め障害ＶＰに対する予備系ＶＰのルーティングタグ情報を設定した予備系ルーティングテーブル（不図示）を参照し、ＶＰ切替要求セルのルーティングタグ情報Ｒを予備系ＶＰ（この場合はＲ＝４）に付け替える。これによりＶＰ切替要求セルは回線対応部４Ｂに導かれ、ＶＰ４経由で対向の切替ノード１０Ａに送られる。なお、上記予備系ルーティングテーブルのコネクション情報をヘッダ変換テーブル１３上に設けても良い。
【００４２】
回線対応部４Ａにおいて、ヘッダ変換部１２はＶＰ切替要求セルを受信すると、該セルを全回線対応部１Ｂ，２Ｂ，３Ａ等に分配すると共に、ＶＰ切替要求セル受信の旨を呼制御部２２Ａに通知する。なお、回線対応部４ＢからのＶＰ切替要求セルを障害検出部１４が抽出（捕捉）してその旨をＯＡＭセル生成部１５に通知し、これを受けたＯＡＭセル生成部１５が全回線対応部宛のＶＰ切替要求セルを生成する様に構成しても良い。
【００４３】
回線対応部１Ｂにおいて、ＯＡＭセル受信部１６は上記分配転送された出側のＶＰ切替要求セルを抽出（捕捉）すると共に、これを契機としてヘッダ変換テーブル１３のコネクション情報を現用系から予備系に切り替える。その結果、回線対応部１Ｂでは、以後の入力セルのＶＰ１／ＶＣ１をＶＰ４／ＶＣ１に、かつ入力セルのＶＰ１／ＶＣ２をＶＰ４／ＶＣ２に書き替え、これらを回線対応部４Ａに導く。
【００４４】
また回線対応部２Ｂにおいて、ＯＡＭセル受信部１６は出側のＶＰ切替要求セルを抽出すると共に、これを契機としてヘッダ変換テーブル１３のコネクション情報を現用系から予備系に切り替える。その結果、回線対応部２Ｂでは、以後の入力セルのＶＰ２／ＶＣ３をＶＰ４／ＶＣ３に、かつ入力セルのＶＰ２／ＶＣ４をＶＰ４／ＶＣ４に書き替え、これらを回線対応部４Ａに導く。以上によりプロテクション区間の下りルートにつき障害リンクＰＬ３の使用が回避された。
【００４５】
一方、回線対応部３Ａにおいて、ＯＡＭセル受信部１６は出側のＶＰ切替要求セルを抽出すると共に、これを契機としてヘッダ変換テーブル１３の現用系の使用を閉塞する。その結果、回線対応部３Ａでは、以後の入力セルのＶＰ３／ＶＣ１及びＶＰ３／ＶＣ２は例えば廃棄される。
また回線対応部４Ａでは、上記ヘッダ変換部１２にＶＰ切替要求セルが入力されたことを契機として、ヘッダ変換テーブル１３の現用系及び予備系の各コネクション情報を併用する様に切り替える。その結果、回線対応部４Ａでは、従前より入力セルのＶＰ４／ＶＣ２をＶＰ１／ＶＣ２に、かつ入力セルのＶＰ４／ＶＣ４をＶＰ２／ＶＣ４に書き替え、これらを回線対応部１Ｂ，２Ｂに夫々導くと共に、新たに入力セルのＶＰ４／ＶＣ１をＶＰ１／ＶＣ１に、かつ入力セルのＶＰ４／ＶＣ３をＶＰ２／ＶＣ４に書き替え、これらを回線対応部１Ｂ，２Ｂに夫々導ける体制となる。以上によりプロテクション区間の上りルートについても正常リンクＰＬ１，２への接続ルートが確保された。
【００４６】
また、呼制御部２２Ａは、上記回線対応部４ＡからＶＰ切替要求セル受信の旨の通知を受けたことにより、回線対応部４Ａを介して切替ノード１０ＢにＶＰ切替応答セルを送出する。
回線対応部４Ｂにおいて、ヘッダ変換部１２はＶＰ切替応答セルを受信すると、該セルを全回線対応部５Ａ，６Ａ，３Ｂ等に分配すると共に、必要ならＶＰ切替応答セル受信の旨を呼制御部２２Ｂに通知する。なお、回線対応部４ＡからのＶＰ切替応答セルを障害検出部１４が抽出してその旨をＯＡＭセル生成部１５に通知し、これを受けたＯＡＭセル生成部１５が全回線対応部宛のＶＰ切替応答セルを生成する様に構成しても良い。
【００４７】
回線対応部５Ａにおいて、ＯＡＭセル受信部１６は上記分配転送された出側のＶＰ切替応答セルを抽出（捕捉）すると共に、これを契機としてヘッダ変換テーブル１３のコネクション情報を現用系から予備系に切り替える。その結果、回線対応部５Ａでは、以後の入力セルのＶＰ５／ＶＣ１をＶＰ４／ＶＣ１に、かつ入力セルのＶＰ５／ＶＣ２をＶＰ４／ＶＣ２に書き替え、これらを回線対応部４Ｂに導く。
【００４８】
また回線対応部６Ａにおいて、ＯＡＭセル受信部１６は出側のＶＰ切替応答セルを抽出すると共に、これを契機としてヘッダ変換テーブル１３のコネクション情報を現用系から予備系に切り替える。その結果、回線対応部６Ａでは、以後の入力セルのＶＰ６／ＶＣ３をＶＰ４／ＶＣ３に、かつ入力セルのＶＰ６／ＶＣ４をＶＰ４／ＶＣ４に書き替え、これらを回線対応部４Ｂに導く。以上によりプロテクション区間の上りルートにつき障害リンクＰＬ３の使用が回避された。
【００４９】
一方、回線対応部３Ｂにおいて、ＯＡＭセル受信部１６は出側のＶＰ切替応答セルを抽出すると共に、これを契機としてヘッダ変換テーブル１３の現用系の使用を閉塞する。その結果、回線対応部３Ｂでは、以後の入力セルのＶＰ３／ＶＣ１及びＶＰ３／ＶＣ２は例えば廃棄される。
また回線対応部４Ｂでは、上記ヘッダ変換部１２にＶＰ切替応答セルが入力されたことを契機として、ヘッダ変換テーブル１３の現用系及び予備系の各コネクション情報を併用する様に切り替える。その結果、回線対応部４Ｂでは、従前より入力セルのＶＰ４／ＶＣ２をＶＰ５／ＶＣ２に、かつ入力セルのＶＰ４／ＶＣ４をＶＰ６／ＶＣ４に書き替え、これらを回線対応部５Ａ，６Ａに夫々導くと共に、新たに入力セルのＶＰ４／ＶＣ１をＶＰ５／ＶＣ１に、かつ入力セルのＶＰ４／ＶＣ３をＶＰ６／ＶＣ４に書き替え、これらを回線対応部５Ａ，６Ａに夫々導ける体制となる。以上によりプロテクション区間の下りルートについても正常リンクＰＬ５，６への接続ルートが確保された。
【００５０】
因みに、回線対応部３Ａ，３Ｂの各ヘッダ変換テーブル１３には物理リンクＰＬ４（ＶＰ４）で障害が発生した場合の予備系のコネクション情報が保持されている。
なお、上記本第１の実施の形態では、回線対応部３ＢのＯＡＭセル生成部１５でＶＰ切替要求セルを生成しているが、回線対応部３Ｂ，４Ｂ間についてはＶＰトリガセルや所定の装置内セルを使用し、回線対応部４ＢにおいてＶＰ切替要求セルを挿入する様に構成しても良い。
【００５１】
また、上記ＶＰ切替要求／応答セルの生成及びその送受信制御、並びにこれらに基づく各回線対応部における各ヘッダ変換テーブル１３の切替制御等を呼制御部２２Ａ，２２Ｂにより夫々に一括して行うように構成しても良い。
また、各ヘッダ変換テーブル１３の内容は、必要な時に呼制御部２２Ａ，２２Ｂにより再設定される様に構成しても良い。
【００５２】
また、上記本第１の実施の形態では、切替ノード１０Ｂは切替ノード１０ＡからのＶＰ切替応答セル受信後に自ノードのコネクション情報を現用系から予備系に切り替えたが、切替ノード１０Ｂは例えば切替ノード１０ＡにＶＰ切替要求セルを送信する際に自ノードのコネクション情報を現用系から予備系に切り替えても良い。
【００５３】
図４は第２の実施の形態によるＡＴＭレイヤプロテクション方式を説明する図であり、上記コネクション情報の切替制御機能が切替制御部に集中配置されている場合を示している。
図において、２３は切替制御部、２４は切替制御を行う制御部、２５はＯＡＭセル受信部（ＣＲＶ）、２６はＯＡＭセル送信部（ＣＸＴ）、２７は切替ノード１０の全ＶＰにつき障害ＶＰに対応する予備ＶＰの情報を保持している回線切替テーブル、２８は切替ノード１０の全回線対応部１１につき現用系及び予備系の各コネクション情報を保持しているヘッダ変換テーブルである。
【００５４】
挿入図（ａ）に回線対応部１１（３Ｂ）の構成を示す。基本的な構成は図３のものと同様で良い。但し、ＯＡＭセル生成部１５は障害検出部１４の障害検出に基づきＶＰトリガセルを生成する。また中継ノード４０ａからのＶＰトリガセルはそのままヘッダ変換部１２に入力される。一方、ヘッダ変換テーブル１３は切替制御部２３からのコネクション情報（ルーティングタグ情報を含む）の設定情報を保持する。この設定情報には、ＶＰトリガセル、ＶＰ切替要求セル、ＶＰ切替応答セルに対するルーティングタグ情報Ｒとして切替制御部２３が接続されているＲ＝７（固定でも良い）の情報が含まれる。
【００５５】
物理リンクＰＬ３（ＶＰ３）で障害が発生すると、回線対応部３Ｂのヘッダ変換部１２にＶＰトリガセルが入力する。ＶＰトリガセルはヘッダ変換部１２でルーティングタグ情報（Ｒ＝７）を付与され、ＡＳＷ２１で切替制御部２３にルーティングされ、ＯＡＭセル受信部２５に入力する。
制御部２４は、ＶＰトリガセルのＶＰ３で回線切替テーブル２７を参照し、障害ＶＰ３に対応する予備のＶＰ４を求め、ＯＡＭセル送信部２６より障害ＶＰ３を特定したＶＰ切替要求セルを送信する。ＶＰ切替要求セルにはルーティングタグ情報（Ｒ＝４）が付与され、ＡＳＷ２１で回線対応部４Ｂにルーティングされ、切替ノード１０Ａに送信される。なお、この時のＶＰ切替要求セルの送信方法としては、１又は２以上のＶＰ切替要求セルを連続的に送信し、対向ノード１０Ａからの応答時間を監視する方法と、常時ＶＰ切替要求セルを生成する方法とが考えられる。
【００５６】
切替ノード１０Ａにおいて、回線対応部４Ａに入力したＶＰ切替要求セルは切替制御部２３に送られる。制御部２４は、ＶＰ切替要求セルの障害ＶＰ３により回線切替テーブル２７を参照し、障害ＶＰ３に対応する予備のＶＰ４を求める。更に、ヘッダ変換テーブル２８から対応する予備系のコネクション情報を抽出し、これらを各回線対応部１１のヘッダ変換テーブル１３に設定する。設定は例えば特定の装置内セルを用いて各回線対応部１１に対して行われる。設定終了後、制御部２４はＶＰ切替応答セルを送出する。
【００５７】
ＶＰ切替応答セルは、予備系のＶＰ４経由で切替ノード１０Ｂの回線対応部４Ｂに入力される。このＶＰ切替応答セルは、ヘッダ変換部１２でルーティングタグ情報（Ｒ＝７）を付与され、ＡＳＷ２１を経由して切替制御部１２のＯＡＭセル受信部２５で受信される。制御部２４はＶＰ切替応答セルの障害ＶＰ３を元に回線切替テーブル２７及びヘッダ変換テーブル２８を参照し、予備系のコネクション情報を読み出し、これらを装置内セルを用いて各回線対応部１１のヘッダ変換テーブル１３に設定する。
【００５８】
本第２の実施の形態によれば、既存のＡＴＭレイヤプロテクションをサポートしない様なノード装置に対しては、ＶＰトリガセルの送信／受信機能及び切替制御部２３を追加するだけで対応可能なため、ＡＴＭレイヤプロテクション導入時のコストを低く抑えられる。また各ヘッダ変換テーブル１３のメモリ量を削減できる。
【００５９】
なお、上記切替制御部２３の機能を呼制御部２２Ａ，２２Ｂに夫々持たせても良い。また、切替ノード１０Ｂは切替ノード１０ＡにＶＰ切替要求セルを送信する際に自ノードのコネクション情報を現用系から予備系に切り替えても良い。
図５は第３の実施の形態によるＡＴＭレイヤプロテクション方式を説明する図であり、システム中央の切替管理ノード５０が各切替ノード１０のＡＴＭプロテクション制御を集中して行う場合を示している。
【００６０】
図において、５０は切替管理ノード、５１は回線対応部、５２はＡＴＭスイッチ（ＡＳＷ）、５３はシステムのＡＴＭレイヤプロテクション制御を行う制御部、５４はシステムの全切替ノード１０につき障害ＶＰに対応する予備ＶＰの情報を保持している回線切替テーブル、５５はシステムの全切替ノード１０の全回線対応部１１につき現用系及び予備系の各コネクション情報を保持しているヘッダ変換テーブルである。
【００６１】
切替管理ノード５０は切替ノード１０１０Ａ，１０Ｂ等の各呼制御部２２から送られる呼接続情報（現用系のコネクション情報）に基づき予備系のコネクション情報を生成・管理する。図において、物理リンクＰＬ３（ＶＰ３）で障害が発生すると、回線対応部３Ｂのヘッダ変換部１２にＶＰトリガセルが入力する。ＶＰトリガセルはヘッダ変換部１２でルーティングタグ情報（Ｒ＝８）を付与され、ＡＳＷ２１で回線対応部８Ａにルーティングされ、物理リンクＰＬ８、ネットワーク１００、物理リンクＰＬ１２を介して切替管理ノード５０の回線対応部１２Ｂに入力する。
【００６２】
制御部５３は、ＶＰトリガセルの障害ＶＰ３の情報に基づき回線切替テーブル５４を参照して障害ＶＰ３に対応する予備のＶＰ４を抽出し、切替ノード１０Ｂ宛にＶＰ切替要求セルを送信する。回線対応部８ＡにおいてＶＰ切替要求セルは障害ＶＰ３に対応する予備ＶＰ４の回線対応部４Ｂにルーティングされ、切替ノード１０Ａに送られる。以後のＶＰプロテクション制御は上記図４で述べたものと同様で良い。
【００６３】
なお、上記切替ノード１０Ｂから切替ノード１０ＡにＶＰ切替要求セルを送る代わりに、切替管理ノード５０は切替ノード１０ＡにもＶＰ切替要求セルを送信する様にしても良い。この場合の切替ノード１０Ｂは切替管理ノード５０からのＶＰ切替要求セルの受信を契機に自ノードのコネクション情報を現用系から予備系に切り替え、切替ノード１０Ａは切替管理ノード５０からのＶＰ切替要求セルの受信を契機に自ノードのコネクション情報を現用系から予備系に切り替える。そして、必要なら各切替ノード１０Ａ，１０ＢはＶＰ切替応答セルを切替管理ノード５０に返送する。
【００６４】
図６，図７は第４の実施の形態によるＡＴＭレイヤプロテクション方式を説明する図（１），（２）であり、１又は２以上のＶＣを収容するＶＰ毎、又は１又は２以上のＶＰを収容するグル−プＶＰ毎のＡＴＭレイヤプロテクション制御が効率良く行われる場合を示している。なお、ここでは前者の場合を説明するが、後者の場合も同様に考えられる。
【００６５】
図において、１７はＯＡＭセル送信部（ＳＣＴ）、１８はＶＣ装置内セル収集部（ＳＣＧ）、１９はＶＰ切替要求セル生成部（ＫＣＧ）である。
図７の回線対応部３Ｂにおいて、今、物理リンクＰＬ３で障害が検出されると、その旨がＯＡＭセル生成部１５に通知される。ＯＡＭセル生成部１５は、ヘッダ変換テーブル１３を参照し、障害ＶＰに収容される各障害ＶＣに関して夫々にＶＣ装置内セルを生成する。例えばＶＣ装置内セル（ＶＰ３／ＶＣ１，ＶＰ３／ＶＣ３）を生成する。また、もしリンクＰＬ３にＶＰ１３／ＶＣ１１，ＶＰ１３／ＶＣ１３が多重されていたとすると、更にＶＣ装置内セル（ＶＰ１３／ＶＣ１１，ＶＰ１３／ＶＣ１３）を生成する。これらのＶＣ装置内セルはヘッダ変換部１２に入力され、現用系のルーティングタグ情報に従って各出側の回線対応部５Ａ，６Ａに導かれる。
【００６６】
回線対応部５Ａにおいて、出側のＶＣ装置内セル（ＶＰ３／ＶＣ１）はＯＡＭセル受信部１６で抽出（捕捉）され、かつ装置内セル送信部１７を介して入側に折り返される。折り返されたＶＣ装置内セル（ＶＰ３／ＶＣ１）はヘッダ変換部１２で予備系のルーティングタグ情報を付与され、回線対応部４Ｂに導かれる。また、もしここでＶＣ装置内セル（ＶＰ１３／ＶＣ１１）が折り返されたとすると、該ＶＣ装置内セル（ＶＰ１３／ＶＣ１１）はヘッダ変換部１２で予備系のルーティングタグ情報を付与され、例えば不図示の回線対応部４Ｃに導かれる。
【００６７】
回線対応部６Ａにおいて、出側のＶＣ装置内セル（ＶＰ３／ＶＣ３）はＯＡＭセル受信部１６で抽出され、かつ装置内セル送信部１７を介して入側に折り返される。折り返されたＶＣ装置内セル（ＶＰ３／ＶＣ３）はヘッダ変換部１２で予備系のルーティングタグ情報を付与され、回線対応部４Ｂに導かれる。また、もしここでＶＣ装置内セル（ＶＰ１３／ＶＣ１３）が折り返されたとすると、該ＶＣ装置内セル（ＶＰ１３／ＶＣ１３）はヘッダ変換部１２で予備系のルーティングタグ情報に従い例えば不図示の回線対応部４Ｃに導かれる。
【００６８】
回線対応部４Ｂにおいて、各折り返されたＶＣ装置内セル（ＶＰ３／ＶＣ１，ＶＰ３／ＶＣ３）は、ＶＣ装置内セル収集部１８で収集される。ＶＣ装置内セル収集部１８は収集した各ＶＣ装置内セルに基づき障害ＶＣ１，３を収容するＶＰ毎（ＶＰ３）のコネクション切替要求情報を生成してこれをＶＰ切替要求セル生成部１９に通知し、ＶＰ切替要求セル生成部１９は対応するＶＰ切替要求セルを対向の切替ノード１０Ａに送信する。
【００６９】
また、図示しないが、回線対応部４Ｃにおいても、各折り返されたＶＣ装置内セル（ＶＰ１３／ＶＣ１１，ＶＰ１３／ＶＣ１３）が収集され、該収集されたＶＣ装置内セルに基づき障害ＶＣ１１，１３を収容するＶＰ毎（ＶＰ１３）のＶＰ切替要求セルが生成され、対向の切替ノード１０Ａに送信される。
なお、この切替ノード１０ＡにＶＰ切替要求セルを送信するタイミングについては幾つかの方法が考えられる。例えばＶＣ装置内セル収集部１８に最初のＶＣ装置内セルが到着したことにより対応するＶＰのＶＰ切替要求セルの送信を行い、その後の同一ＶＰに対するＶＣ装置内セルの到着は無視する。又は、所定数を越えるＶＣ装置内セルを受信したことにより対応するＶＰ切替要求セルの送信を行い、その後の同一ＶＰに対するＶＣ装置内セルの到着は無視する。又は全ＶＣ装置内セルを受信したことにより対応するＶＰ切替要求セルの送信を行う。又は予めあるＶＣを代表ＶＣと定めて、当該ＶＣのＶＣ装置内セルの受信をもってＶＰ切替要求セルの送信を行い、他の当該ＶＰに対するＶＣ装置内セルの到着は無視する。いずれにしても、ＶＰ毎のＶＰ切替要求セルを送信することで、リンクＰＬ４のトラヒック増加を回避できる。
【００７０】
図６の回線対応部４Ａにおいて、上記回線対応部４ＢからのＶＰ切替要求セルは障害検出部１４で抽出され、その旨がＯＡＭセル生成部１５に通知される。これを受けたＯＡＭセル生成部１５は、障害ＶＣ１，３に対応する各ＶＣ装置内セルを生成する。例えばＶＣ装置内セル（ＶＰ３／ＶＣ１，ＶＰ３／ＶＣ３）を生成する。各ＶＣ装置内セルはヘッダ変換部１２に入力され、全回線対応部１Ｂ，２Ｂ，３Ａ等又は予備系のルーティングタグ情報に従って回線対応部１Ｂ，２Ｂに導かれる。
【００７１】
回線対応部１Ｂにおいて、出側のＶＣ装置内セル（ＶＰ３／ＶＣ１）はＯＡＭセル受信部１６で抽出（捕捉）され、これを契機に、ヘッダ変換テーブル１３の障害ＶＣ１（ＶＰ３）に対応するコネクション情報が現用の「ＶＰ１／ＶＣ１」→「ＶＰ３／ＶＣ１」から予備の「ＶＰ１／ＶＣ１」→「ＶＰ４／ＶＣ１」に書き替え（又は切り替え）られる。その後、上記抽出されたＶＣ装置内セル（ＶＰ３／ＶＣ１）は装置内セル送信部１７により入側に折り返され、更にヘッダ変換部１２を介して予備系のルーティングタグ情報により回線対応部４Ａに導かれる。
【００７２】
回線対応部２Ｂにおいて、出側のＶＣ装置内セル（ＶＰ３／ＶＣ３）はＯＡＭセル受信部１６で抽出され、これを契機に、ヘッダ変換テーブル１３の障害ＶＣ３（ＶＰ３）に対応するコネクション情報が現用の「ＶＰ２／ＶＣ３」→「ＶＰ３／ＶＣ３」から予備の「ＶＰ２／ＶＣ３」→「ＶＰ４／ＶＣ３」に書き替えられる。その後、上記抽出されたＶＣ装置内セル（ＶＰ３／ＶＣ３）は装置内セル送信部１７により入側に折り返され、更にヘッダ変換部１２を介して予備系のルーティングタグ情報により回線対応部４Ａに導かれる。
【００７３】
なお、図示しないが、回線対応部４Ｄにおいても、障害ＶＣ１１，１３を収容するＶＰ毎（ＶＰ１３）のＶＰ切替要求セルに対応して上記と同様の処理が行われる。以上により、下り方向のコネクション情報が現用系から予備系に切り替えられた。
回線対応部３Ａにおいて、出側のＶＣ装置内セル（ＶＰ３／ＶＣ１，ＶＰ３／ＶＣ３）はＯＡＭセル受信部１６で抽出され、これを契機に、ヘッダ変換テーブル１３の障害ＶＣ１，３（ＶＰ３）に対応する現用のコネクション情報が閉塞される。その後、上記抽出されたＶＣ装置内セル（ＶＰ３／ＶＣ１，ＶＰ３／ＶＣ３）は装置内セル送信部１７により入側に折り返され、更にヘッダ変換部１２を介して予備系のルーティングタグ情報により回線対応部４Ａに導かれ、又は廃棄される。
【００７４】
回線対応部４Ａにおいて、各折り返されたＶＣ装置内セル（ＶＰ３／ＶＣ１，ＶＰ３／ＶＣ３）は、ＶＣ装置内セル収集部１８で収集される。ＶＣ装置内セル収集部１８は収集したＶＣ装置内セルに基づき障害ＶＣ１，３を収容するＶＰ毎（ＶＰ３）のコネクション切替応答情報を生成してこれをＶＰ切替応答セル生成部１９に通知し、これを受けたＶＰ切替応答セル生成部１９は対応するＶＰ切替応答セルを対向の切替ノード１０Ｂに送信する。なお、切替ノード１０ＢにＶＰ切替応答セルを送信するタイミングについては上記と同様の方法が考えられる。また、これを契機に、ヘッダ変換テーブル１３の現用系のコネクション情報に対して障害ＶＣ１，３に対応するコネクション情報として予備系の「ＶＰ４／ＶＣ１」→「ＶＰ１／ＶＣ１」及び「ＶＰ４／ＶＣ３」→「ＶＰ２／ＶＣ３」が付加される。
【００７５】
なお、図示しないが、回線対応部４Ｄにおいても、障害ＶＣ１１，１３を収容するＶＰ毎（ＶＰ１３）のＶＰ切替要求セルに対応して上記と同様の処理が行われる。以上により、上り方向のコネクション情報も現用系から予備系に切り替えられた。
図７に戻り、回線対応部４Ｂにおいて、上記回線対応部４ＡからのＶＰ切替応答セルは障害検出部１４で抽出され、その旨がＯＡＭセル生成部１５に通知される。ＯＡＭセル生成部１５は、障害ＶＣ１，３に対応する例えばＶＣ装置内セル（ＶＰ３／ＶＣ１，ＶＰ３／ＶＣ３）を生成する。各ＶＣ装置内セルはヘッダ変換部１２に入力され、全回線対応部５Ａ，６Ａ，３Ｂ等又は予備系のルーティングタグ情報に従って回線対応部５Ａ，６Ａに導かれる。
【００７６】
回線対応部５Ａにおいて、出側のＶＣ装置内セル（ＶＰ３／ＶＣ１）はＯＡＭセル受信部１６で抽出され、これを契機に、ヘッダ変換テーブル１３の障害ＶＣ１に対応するコネクション情報が現用の「ＶＰ５／ＶＣ１」→「ＶＰ３／ＶＣ１」から予備の「ＶＰ５／ＶＣ１」→「ＶＰ４／ＶＣ１」に書き替えられる。その後、上記抽出されたＶＣ装置内セル（ＶＰ３／ＶＣ１）は装置内セル送信部１７により入側に折り返され、更にヘッダ変換部１２で予備系のルーティングタグ情報を付与され、回線対応部４Ｂに導かれる。
【００７７】
回線対応部６Ａにおいて、出側のＶＣ装置内セル（ＶＰ３／ＶＣ３）はＯＡＭセル受信部１６で抽出され、これを契機に、ヘッダ変換テーブル１３の障害ＶＣ３に対応するコネクション情報が現用の「ＶＰ６／ＶＣ３」→「ＶＰ３／ＶＣ３」より予備の「ＶＰ６／ＶＣ３」→「ＶＰ４／ＶＣ３」に書き替えられる。その後、上記抽出されたＶＣ装置内セル（ＶＰ３／ＶＣ３）は装置内セル送信部１７により入側に折り返され、更にヘッダ変換部１２で予備系のルーティングタグ情報を付与され、回線対応部４Ｂに導かれる。
【００７８】
なお、図示しないが、回線対応部４Ｃにおいても、障害ＶＣ１１，１３を収容するＶＰ毎（ＶＰ１３）のＶＰ切替応答セルに対応して上記と同様の処理が行われる。以上により、上り方向のコネクション情報が現用系から予備系に切り替えられた。
回線対応部３Ｂにおいて、出側のＶＣ装置内セル（ＶＰ３／ＶＣ１，ＶＰ３／ＶＣ３）はＯＡＭセル受信部１６で抽出され、これを契機に、ヘッダ変換テーブル１３の障害ＶＣ１，３（ＶＰ３）に対応する現用のコネクション情報が閉塞される。その後、上記抽出されたＶＣ装置内セル（ＶＰ３／ＶＣ１，ＶＰ３／ＶＣ３）は装置内セル送信部１７により入側に折り返され、更にヘッダ変換部１２を介して予備系のルーティングタグ情報により回線対応部４Ｂに導かれ、又は廃棄される。
【００７９】
回線対応部４Ｂにおいて、出側のＶＣ装置内セル（ＶＰ３／ＶＣ１，ＶＰ３／ＶＣ３）はＯＡＭセル受信部１６で抽出され、これを契機に、ヘッダ変換テーブル１３の現用系のコネクション情報にＶＣ１，ＶＣ３に対応するコネクション情報として予備系の「ＶＰ４／ＶＣ１」→「ＶＰ５／ＶＣ１」及び「ＶＰ４／ＶＣ３」→「ＶＰ６／ＶＣ３」が付加される。
【００８０】
なお、図示しないが、回線対応部４Ｃにおいても、障害ＶＣ１１，１３を収容するＶＰ毎（ＶＰ１３）のＶＰ切替応答セルに対応して上記と同様の処理が行われる。以上により、下り方向のコネクション情報も現用系から予備系に切り替えられた。
なお、上記切替ノード１０Ｂは切替ノード１０ＡにＶＰ切替要求セルを送信する前（各ＶＣ装置内セルの折り返しの際）に自ノードのコネクション情報を現用系から予備系に切り替えても良い。こうすれば処理が速い。
【００８１】
また、上記ＶＣ装置内セルを全回線対応部又は障害対応の回線対応部に分配する代わりに、あるＶＣ装置内セルを、順次ルーティングタグ情報を付け替える方法等により、全回線対応部又は障害対応の回線対応部に巡回させる方法も考えられる。また、上記ＡＴＭプロテクションの制御機能を呼制御部２２Ａ，２２Ｂで行っても良い。
【００８２】
本第４の実施の形態によれば、どの様に複雑な態様で発生したＶＣ（又はグループＶＰ）の障害でも、上記単純な処理アルゴリズムの実行により機械的にＡＴＭプロテクション処理される。また、また故障ＶＰ内に収容されるＶＣに対応する予備系ＶＰが複数ある様な場合でも特別の管理をする必要がない。
図８，図９は第５の実施の形態によるＡＴＭレイヤプロテクション方式を説明する図（１），（２）であり、１又は２以上のＶＣを収容するＶＰ毎、又は１又は２以上のＶＰを収容するグル−プＶＰ毎のＡＴＭレイヤプロテクション制御が効率良く行われる他の場合を示している。なお、ここでは前者の場合を説明するが、後者の場合も同様に考えられる。
【００８３】
図において、３５はＶＣ切替要求セル生成部（ＫＣＧ）、３６はＶＣ切替セル受信部（ＫＣＲ）、３７はＶＣ切替セル送信部（ＫＣＴ）である。
図９の回線対応部３Ｂにおいて、リンクＰＬ３（ＶＰ３）の障害検出によりＶＣ切替要求セル生成部３５で生成された各ＶＣ切替要求セル（ＶＰ３／ＶＣ１，ＶＰ３／ＶＣ３）は、上記同様にして予備系の回線対応部４Ｂに導かれるが、これらはそのまま又は必要なフォーマット変換のみで対向の切替ノード１０Ａに送出される。
【００８４】
図８において、回線対応部４Ｂに入力した各ＶＣ切替要求セルは、全回線対応部１Ｂ，２Ｂ，３Ａ等又は障害ＶＣ１，３対応の回線対応部１Ｂ，２Ｂに分配（又は巡回）され、必要なコネクション情報の切替えを付勢して、最終的に回線対応部４Ｂに戻る。その際には、各ＶＣ切替要求セルは回線対応部１Ｂ，２Ｂ等における折り返しの際に夫々ＶＣ切替応答セルに変換され、対向の切替ノード１０Ｂに返送される。
【００８５】
図９に戻り、回線対応部４Ｂに返送された各ＶＣ切替応答セルは全回線対応部５Ａ，６Ａ，３Ｂ等又は障害ＶＣ１，３対応の回線対応部５Ａ，６Ａに分配（又は巡回）され、必要なコネクション情報の切替えを付勢して、最終的に回線対応部４Ｂに戻る。そして、各ＶＣ切替応答セルはＶＣ切替セル受信部３６で抽出（捕捉）され、最終的に廃棄される。
【００８６】
なお、上記切替ノード１０Ｂは切替ノード１０ＡにＶＣ切替要求セルを送信する前（各ＶＣ切替要求セルの折り返しの際）に自ノードのコネクション情報を現用系から予備系に切り替えても良い。こうすれば処理が速い。
本第５の実施の形態によれば、上記第４の実施の形態の効果に加え、ＶＣ切替要求／応答セルの収集機能を削減でき、ハード量を低減できる。
図１０は第６の実施の形態によるＡＴＭレイヤプロテクション方式を説明する図であり、本ＡＴＭレイヤプロテクションの区間内警報転送セル（ＶＰトリガセル）と区間外警報転送セル（ＶＰ−ＡＩＳセル，ＶＰ−ＦＥＲＦセル等）とを区別して処理することにより警報転送セルの重複した転送を避ける場合を示している。
【００８７】
挿入図（ａ）に回線対応部１１（例えば３Ｂ）の構成を示す。図において、３１は区間外警報転送セル検出部（ＯＤＴ）、３２は区間外警報状態判定部（ＯＭＴ）、３３は区間外警報転送セル生成部（ＯＣＧ）である。
プロテクション区間のエンドポイントに入力した区間外警報転送セルは通常の警報転送制御に従い下流ノードに転送される。通常、この区間外警報転送セルは障害が継続する間は一定時間間隔で送られる。区間外警報状態判定部３２は区間外警報転送セル検出部３１が連続して所定回数の区間外警報転送セルを検出したことにより区間外警報状態と判定し、また連続して所定回数又は所定期間の間、区間外警報転送セルを検出しないことにより区間外警報状態でないと判定する。従って、区間外警報の状態を判定できると共に、区間外警報転送セルを転送できる。
【００８８】
また、プロテクション区間のエンドポイントに入力した区間内警報転送（ＶＰトリガ）セルは障害検出部１４で抽出（捕捉）される。好ましくは、この区間内警報転送セルも障害が継続する間は一定時間間隔で送られる。障害検出部１４はこの区間内警報転送セルを１又は所定回数連続して抽出したことにより区間内警報状態と判定し、また連続して所定回数又は所定期間の間、区間内警報転送セルを検出しないことにより区間内警報状態でないと判定する。そして、障害検出部１４は区間内警報状態と判定するとＯＡＭセル生成部１５及び区間外警報転送セル生成部３３を付勢する。
【００８９】
これによりＯＡＭセル生成部１５は上記プロテクション区間内で使用されるＶＰ切替要求セル又は切替ノード１０Ｂ内で使用される一連のＶＣ装置内セルを生成する。但し、これらのセルの発生は１回である。一方、区間外警報転送セル生成部３３は区間外警報状態判定部３２が区間外警報状態でないと判定していることを条件に区間外警報転送セルを一定時間間隔で発生する。これらの区間外警報転送セルは通常の警報転送制御に従い下流ノードに転送される。従って、本プロテクション区間内で発生した障害を区間外警報転送セルにより他の区間に通報できる。また区間外警報転送セル生成部３３は区間外警報状態判定部３２が区間外警報状態と判定している時は、区間外警報転送セルを発生しない。従って、区間外警報転送セルが他の区間に重複して転送されることを防止でき、リンクの帯域が圧迫される可能性を防げる。
【００９０】
なお、上記区間外警報状態を判定条件とする代わりに、区間内警報状態を判定条件として、プロテクション区間のエンドポイントに入力した区間外警報転送セルの流れを制御する様に構成しても良い。また、上記区間外警報転送セルの流通制御機能を回線対応部の出側（ソースポイント側）に設けても良い。
また、上記各実施の形態はＶＰプロテクションの例を中心に述べたが、本発明はＶＣプロテクションや、切替ノードがＶＰスイッチ（クロスコネクト装置等）である場合にも適用できる。
【００９１】
また、上記各実施の形態は障害コネクションを現用系から予備系に切り替える場合を述べたが、予備系から現用系に切り戻す場合も同様に考えられる。
また、上記本発明に好適なる複数の実施の形態を述べたが、本発明思想を逸脱しない範囲内で各部の構成、制御、及びこれらの組合せの様々な変更が行えることは言うまでも無い。
【００９２】
【発明の効果】
以上述べた如く本発明によれば、あるラインで障害が検出された際に必要となるようなプロテクションの諸機能を、複数の回線対応部に効率よく機能分割して分散配置したことにより、ノード装置全体として効率よいＡＴＭレイヤプロテクションを実現できる。
【図面の簡単な説明】
【図１】本発明の原理を説明する図である。
【図２】第１の実施の形態によるＡＴＭレイヤプロテクション方式を説明する図（１）である。
【図３】第１の実施の形態によるＡＴＭレイヤプロテクション方式を説明する図（２）である。
【図４】第２の実施の形態によるＡＴＭレイヤプロテクション方式を説明する図である。
【図５】第３の実施の形態によるＡＴＭレイヤプロテクション方式を説明する図である。
【図６】第４の実施の形態によるＡＴＭレイヤプロテクション方式を説明する図（１）である。
【図７】第４の実施の形態によるＡＴＭレイヤプロテクション方式を説明する図（２）である。
【図８】第５の実施の形態によるＡＴＭレイヤプロテクション方式を説明する図（１）である。
【図９】第５の実施の形態によるＡＴＭレイヤプロテクション方式を説明する図（２）である。
【図１０】第６の実施の形態によるＡＴＭレイヤプロテクション方式を説明する図である。
【図１１】ＡＩＳセルフォーマットを説明する図である。
【符号の説明】
１０  切替ノード（ＡＴＭ交換機，クロスコネクト装置等）
１１  回線対応部
１２  ヘッダ変換部（ＨＣＶ）
１３  ヘッダ変換テーブル
１４  障害検出部（ＥＤＴ）
１５  ＯＡＭセル生成部（ＳＣＧ）
１６  ＯＡＭセル受信部（ＳＣＲ）
１７  ＯＡＭセル送信部（ＳＣＴ）
１８  ＶＣ装置内セル収集部（ＳＣＧ）
１９  ＶＰ切替要求セル生成部（ＫＣＧ）
２１  ＡＴＭスイッチ（ＡＳＷ）
２２  呼制御部
２３  切替制御部
２４  制御部
２５  ＯＡＭセル受信部（ＣＲＶ）
２６  ＯＡＭセル送信部（ＣＸＴ）
２７  回線切替テーブル
２８  ヘッダ変換テーブル
３１  区間外警報転送セル検出部（ＯＤＴ）
３２  区間外警報状態判定部（ＯＭＴ）
３３  区間外警報転送セル生成部（ＯＣＧ）
３５  ＶＰ切替要求セル生成部（ＫＣＧ）
３６  ＶＰ切替セル受信部（ＫＣＲ）
３７  ＶＰ切替セル送信部（ＫＣＴ）
４０  中継ノード
５０  切替管理ノード
【図１】
0003577535.tif 000002
【図２】
0003577535.tif 000003
【図３】
0003577535.tif 000004
【図４】
0003577535.tif 000005
【図５】
0003577535.tif 000006
【図６】
0003577535.tif 000007
【図７】
0003577535.tif 000008
【図８】
0003577535.tif 000009
【図９】
0003577535.tif 000010
【図１０】
0003577535.tif 000011
【図１１】
0003577535.tif 000012